(57)【特許請求の範囲】
【請求項１】
同一の送風方向に沿って順次に離隔配置された第１のファン（１）と第２のファン（２）とを含み、
前記第１のファン（１）と前記第２のファン（２）は、同軸に設置され、モーター（３）によって同期的に駆動され、
前記第１のファン（１）の送風風圧は前記第２のファン（２）より大きく、前記第２のファン（２）の送風風量は前記第１のファン（１）より大きく、
前記第１のファン（１）の直径は、前記第２のファン（２）の直径と同一であるか、又は、前記第２のファン（２）の直径より少し小さく、
前記第１のファン（１）の第１の羽根（１２）の数量は、前記第２のファン（２）の第２の羽根（２２）の数量と同一であり、
隣接している前記第１の羽根（１２）と前記第２の羽根（２２）において、前記第２の羽根（２２）は円周方向に沿って前記第１の羽根（１２）の後方にずらして設置される、ことを特徴とする空気清浄機の送風装置。
【請求項２】
前記モーター（３）は２軸延伸モーター（ｄｕａｌ−ｓｈａｆｔ ｅｘｔｅｎｄｉｎｇ ｍｏｔｏｒ）であり、当該２軸延伸モーターは前記第１のファン（１）の回転中心と前記第２のファン（２）の回転中心との間に設置されることを特徴とする請求項１に記載の空気清浄機の送風装置。
【請求項３】
前記第１のファン（１）の第１のハブ（１１）は、前記モーター（３）の第１の回転軸（３１）に接続され、
前記第２のファン（２）の第２のハブ（２１）は、前記モーター（３）の第２の回転軸（３２）に接続され、
前記モーター（３）のケース（３３）の一部は、前記第１のハブ（１１）又は第２のハブ（２１）内に設置され、且つ、露出された端部には、前記空気清浄機に設置するための装着部（３４）が設置されていることを特徴とする請求項２に記載の空気清浄機の送風装置。
【請求項４】
前記第１のファン（１）の第１のハブ（１１）の近端中心にはガイドキャップ（４）が設置されて、気流が、円周方向に沿って前記第１のハブ（１１）に離隔接続された複数の第１の羽根（１２）に向かって流れるようにガイドすることを特徴とする請求項１に記載の空気清浄機の送風装置。
【請求項５】
前記ガイドキャップ（４）は、アーチ形先端を有するテーパー形キャップに形成されることを特徴とする請求項４に記載の空気清浄機の送風装置。
【請求項６】
前記第１のファン（１）と前記第２のファン（２）との間の間隔は、４ｍｍ〜２００ｍｍであることを特徴とする請求項１に記載の空気清浄機の送風装置。
【請求項７】
前記第１のファン（１）は混流ファンであり、前記第２のファン（２）は軸流ファンであることを特徴とする請求項１に記載の空気清浄機の送風装置。
【請求項８】
清浄機本体（５）と、当該清浄機本体（５）に設置された排気通路（６）を含む空気清浄機において、
前記排気通路（６）内に、請求項１〜７のいずれか１項に記載の送風装置が設置されていることを特徴とする空気清浄機。
【請求項９】
前記排気通路６は送風方向に沿って接続された第１の空気通路（６１）と第２の空気通路（６２）とを含み、
前記第１の空気通路（６１）は、送風方向に沿って断面が次第に増加するテーパー形構造を形成し、前記第２の空気通路（６２）は柱形構造を形成し、
前記第１のファン（１）は前記第１の空気通路（６１）に位置し、前記第２のファン（２）は前記第２の空気通路（６２）に位置することを特徴とする請求項８に記載の空気清浄機。
【請求項１０】
前記第１のファン（１）の排気方向は軸方向に沿って外側へ傾斜し、前記第２のファン（２）の排気方向は軸方向に沿って延長されることを特徴とする請求項９に記載の空気清浄機。
【請求項１１】
清浄機本体（５）と、当該清浄機本体（５）に設置された排気通路（６）を含む空気清浄機において、
前記排気通路（６）内に送風装置が着脱可能に設置され、
前記送風装置は、同一の送風方向に沿って順次に離隔配置された第１のファン（１）と第２のファン（２）とを含み、
前記第１のファン（１）と前記第２のファン（２）は、同軸に設置され、モーター（３）によって同期的に駆動され、前記第１のファン（１）の送風風圧は前記第２のファン（２）より大きく、前記第２のファン（２）の送風風量は前記第１のファン（１）より大きく、
前記第１のファン（１）の直径は、前記第２のファン（２）の直径と同一であるか、又は、前記第２のファン（２）の直径より少し小さく、
前記第１のファン（１）の第１の羽根（１２）の数量は、前記第２のファン（２）の第２の羽根（２２）の数量と同一であり、
隣接している前記第１の羽根（１２）と前記第２の羽根（２２）において、前記第２の羽根（２２）は円周方向に沿って前記第１の羽根（１２）の後方にずらして設置され、
前記モーター（３）は２軸延伸モーターであり、当該２軸延伸モーターは前記第１のファン（１）の回転中心と前記第２のファン（２）の回転中心との間に設置されることを特徴とする空気清浄機。
【請求項１２】
前記第１のファン（１）の第１のハブ（１１）は、前記モーター（３）の第１の回転軸（３１）に接続され、
前記第２のファン（２）の第２のハブ（２１）は、前記モーター（３）の第２の回転軸（３２）に接続され、
前記モーター（３）のケース（３３）の一部は、前記第２のハブ（２１）内に設置され、前記第２のハブ（２１）から露出された端部には、装着部（３４）が設置され、
前記排気通路（６）内には装着リング（７）が固設され、
前記第１の回転軸（３１）は、前記装着リング（７）の中央貫通孔を通過して前記第２のファン（２）と着脱可能に接続され、
前記装着部（３４）は前記装着リング（７）に着脱可能に接続されることを特徴とする請求項１１に記載の空気清浄機。
【請求項１３】
前記第１の回転軸（３１）は、前記第１のハブ（１１）を通過して当該第１のハブ（１１）とプロフィール面接続を形成し、
前記第１の回転軸の端部には、ガイドキャップ（４）が着脱可能に接続されることを特徴とする請求項１２に記載の空気清浄機。
【請求項１４】
前記第２の回転軸（３２）は、前記第２のハブ（２１）を通過して当該第２のハブ（２１）とプロフィール面接続を形成し、
前記第２の回転軸（３２）の端部には、リミットナット（８）が着脱可能に接続されることを特徴とする請求項１２に記載の空気清浄機。
【発明の詳細な説明】
【技術分野】
【０００１】
本発明は、空気清浄機の送風分野に関し、特に送風装置と、当該送風装置を用いた空気清浄機に関する。
【背景技術】
【０００２】
従来技術において、空気清浄機は、一般的にファンを送風装置として送風し、ファンの構造は、空気清浄機の送風効率や発生するノイズの大きさなどの性能に対し直接に影響を与えている。
【発明の概要】
【０００３】
本発明は、従来技術に存在する問題を解決するための、空気清浄機及びその送風装置を提供する。
【０００４】
本発明の第１の態様によれば、空気清浄機の送風装置を提供し、当該送風装置は、同一の送風方向に沿って順次に離隔配置された第１のファンと第２のファンとを含み、前記第１のファンと前記第２のファンは、同軸に設置され、モーターによって同期的に駆動される。
【０００５】
本発明の第２の態様によれば、清浄機本体と、当該清浄機本体に設置された排気通路を含み、前記排気通路には本発明の例示的な実施例により提供された送風装置が設置されている空気清浄機を提供する。
【０００６】
本発明に提供された技術案によれば、以下のような技術効果が奏される。
【０００７】
離隔設置された２つのファンを１つのモーターを用いて同期的に駆動することにより、空気清浄機の送風効率を効果的に向上させることができ、また、構造が簡単で、実用性が強い。
【０００８】
なお、前記一般的な記載及び後述の詳細な記載は、単なる例示的で解釈的な記載であり、本発明を限定しない。
【図面の簡単な説明】
【０００９】
ここの図面は、明細書に組み入れて本明細書の一部を構成し、本発明に該当する実施例を例示するとともに、明細書とともに本発明の原理を解釈する。
【図１】例示的な一実施例に係る空気清浄機の断面構造を示す模式図である。
【図２】例示的な一実施例に係る送風装置の構造を示す模式図である。
【図３】例示的な一実施例に係る第２のファンの平面構造を示す模式図である。
【図４】例示的な一実施例に係る第１のファンの平面構造を示す模式図である。
【発明を実施するための形態】
【００１０】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００１１】
特に別の説明がない限り、用いている方向についての用語、例えば「上、下」は一般的に本発明の例示的な実施例に提供された空気清浄機が正常に動作している状況の下で定義したものであり、具体的には、図１と図２に示す図面の方向を参照することができる。「内、外」は、対応する部品の輪郭の内側と外側を指す。「遠、近」は、送風方向を基準に定義したものであり、即ち、気流が近くから遠くへ流動することを意味する。
【００１２】
図１から図４に示すように、本発明の例示的な一実施例は、空気清浄機の送風装置と、当該送風装置を用いた空気清浄機を提供する。図１と図２に示すように、本実施例で、前記送風装置は、送風方向に沿って順次に離隔配置された第１のファン１と第２のファン２とを含み、第１のファン１と第２のファン２は、同軸に設置され、且つ、モーター３によって同期的に駆動される。ここで、２つのファンは、上下方向の配置方式を採用して、下から上への送風を実現する。他の実施例において、２つのファンを任意の角度に設置することもできる。従って、一つのモーター３で離隔設置された２つのファンを、１つのモーター３で同期的に駆動することにより、送風効率を効果的に向上させることができており、空気清浄機の浄化能力も向上させる。
【００１３】
本実施例において、第１のファン１の送風風圧が第２のファン２より大きく、第２のファン２の送風風量が第１のファン１より多くなるように設けることができる。このようにする場合、第１のファン１の排気風圧がより大きいため、送風装置の吸引力を高めることができると共に、第２のファン２の空気入口側に大量の空気を集めるのに有利になり、従って、第２のファン２が大風量で空気を排出することにより、空気清浄機の送風効率の向上が実現される。ここで、前記風圧と風量の設定は、２タイプのファンを設けることにより実現することができる。例えば、例示的な実施例において、図３と図４に示すように、第１のファン１を混流ファンに設け、第２のファン２を軸流ファンに設けることができる。ここで、混流ファンは、軸流ファンと遠心ファンとの間にあるもので、軸流ファンと比較すると、風圧が大きく、且つ、風量は少ない特徴がある。他の実施例では、２つのファンの羽根の構造を設計するなどにより、本発明の実施例での風量と風圧に対する要求を満たすことができる。
【００１４】
例示的な本実施例において、１つのモーターで２つのファンを容易に同期的に駆動させるために、モーター３は２軸延伸モーター（ｄｕａｌ−ｓｈａｆｔ ｅｘｔｅｎｄｉｎｇ ｍｏｔｏｒ）であってもよく、即ち、互いに逆方向に延伸された２つの回転軸を備えることができる。例えば、図１に示している第１の回転軸３１と第２の回転軸３２により、２つのファンの同期的な駆動を実現する。また、当該２軸延伸モーターを第１のファン１の回転中心と第２のファン２の回転中心との間に設けることにより、スペースを十分に利用して、送風装置全体の送風方向における厚さを減少することができる。本実施例において、モーター３の２つの回転軸を、同一のローターによって駆動し、即ち、２つのファンは同一方向に回転され、送風方向も同一である。他の可能な実施例において、モーター３の２つの回転軸を互いに逆方向に回転させて、２つのファンを互いに逆方向に回転させてもよく、この場合、羽根を逆方向に設置するだけで、２つのフアンが同一の送風方向を有するようにすることができる。
【００１５】
例示的な一実施例として、第１のファン１の第１のハブ１１は、モーター３の第１の回転軸３１に接続され、第２のファン２の第２のハブ２１は、モーター３の第２の回転軸３２に接続されており、モーター３のケース３３の一部は、第１のハブ１１又は第２のハブ２１内に設置され、露出された端部には、空気清浄機に設置するための装着部３４が設置されている。このように、モーター３の一部を２つのハブのいずれか１つに設置することにより、２つのファンの送風方向におけるスペースを十分に利用して、送風方向における厚さの増加を避けることができる。また、露出された端部に設置された装着部３４は、本実施例における送風装置を容易に空気清浄機に設置させることができる。
【００１６】
図１に示すように、例示的な本実施例における空気清浄機は、清浄機本体５と、当該清浄機本体５に設置された排気通路６とを含み、ここで、清浄機本体５の内部には、フィルター、水タンクなどの空気フィルタユニット及び加湿ユニットなどが含まれ、浄化された空気を排出するために、前記送風装置は排気通路６内に設置されている。従って、本実施例における送風方向は、清浄機本体５から排気通路６への方向であり、即ち、第１のファン１は清浄機本体５に近接して設置され、第２のファン２は排気通路６に近接して設置される。本実施例において、送風装置を空気清浄機に容易に装着し、また、その後のメンテナンスのために、前記送風装置を着脱可能に排気通路６に設置する。例示的な他の実施例で、送風装置を排気通路６に永久的に固定させることもできる。
【００１７】
図１に示すように、モーター３のケース３３の一部は、第２のハブ２１内に設置されており、前記第２のハブ２１から露出された端部には装着部３４が設置されており、排気通路６内には装着リング７が固設され、第１の回転軸３１は、装着リング７の中央貫通孔を通過して第２のファン２と着脱可能に接続されており、装着部３４は装着リング７に係合されている。これにより、排気口を通じて本実施例の送風装置を設置することができ、例えば、まず、モーター３と第２のファン２を組み立ててから、排気通路６の排気口を通じて、第１の回転軸３１で装着リング７を貫通させた後、清浄機本体５の側で、第１の回転軸３１と第１のファン１を組み立てることができる。
【００１８】
ここで、装着リング７は、円周方向に離隔設置された接続リブによって排気通路６の中央に固定されてもよく、排気通路６に固定された環状板によって固定されてもよい。装着部３４と装着リング７との着脱可能な接続方式には、様々な方式が含まれ、両者の組み立てを便利にさせる。例えば、装着部３４は外周に沿って複数の固定ブロックを配置し、装置リング７に係合溝を設置し、固定ブロックが係合溝内で外周方向に回転することにより、両者の係合を実現することができで、操作が便利になる。他の実施例において、係合構造として、他の様々な方式があり、また、装着部３４と装着リング７とは、ねじ込み接続方式を採用することもできる。
【００１９】
本実施例で、第２のファン２と第２の回転軸３２は、着脱可能な接続方式を用いてもよい。例えば、第２の回転軸３２は、第２のハブ２１を通過し、且つ、当該第２のハブ２１とプロフィール面接続(ｐｒｏｆｉｌｅ ｓｕｒｆａｃｅ ｃｏｎｎｅｃｔｉｏｎ)を形成し、当該プロフィール面接続は非円形断面の穴と軸との嵌合であり、軸方向への移動を制限することなく、トルクを転送することができる。例えば、第２の回転軸３２の相応する部分により矩形の軸を形成したり、又は相応の嵌合型面に加工することができる。また、両者をスプライン、ねじなどにより接続することができる。軸方向を更にロックするために、第２の回転軸２の端部にリミットナット８が着脱可能に接続され、これにより第２のファン２とモーター３の組み立てを完成することができる。
【００２０】
また、類似的に、第１の回転軸３１が第１のハブ１１を通過して、当該第１のハブ１１とプロフィール面接続を形成することで、同様に両者の組み立てと分解を容易にすることができる。ここで、軸方向への位置を制限するために、第１の回転軸３１の端部には、ガイドキャップ４が着脱可能に接続されている。本実施例で、ガイドキャップ４は第１のファン１の位置を制限するだけでなく、気流をガイドする役割を果たしている。図１と図２に示すように、当該ガイドキャップ４が第１のハブ１１の近端中心に設置されているため、気流が、円周方向に沿って第１のハブ１１に離隔接続された複数の第１の羽根１２に向かって流れるようにガイドすることができ、送風効率を向上させると共に、ノイズも低減させることができる。ここで、気流を同時に四方へ均一にガイドするために、ガイドキャップ４はアーチ形先端をテーパー形キャップに形成される。
【００２１】
また、本実施例で提供された空気清浄機において、排気通路６は送風方向に沿って接続された第１の空気通路６１と第２の空気通路６２とを含み、第１の空気通路６１は、送風方向に沿って断面が次第に増加するテーパー形構造を形成し、第２の空気通路６２は柱形構造を形成し、このような構造により、第１の空気通路６１に近接する清浄機本体５の横方向におけるスペースを十分に利用して、清浄機本体５の横方向へのサイズを可能な限り減らして、敷地面積を減らすことができる。また、テーパー形構造の第１の空気通路６１を介して断面がより大きな第２の空気通路６２を使用することができるため、空気清浄機の送風する風量と効率を確保することができる。
【００２２】
また、図１に示すように、第１のファン１は第１の空気通路６１に位置し、第２のファン２は第２の空気通路６２に位置する。これにより、第１のハブ１１の近端中心に位置しているガイドキャップ４のサイドエッジと、第１の空気通路６１の側壁がほぼ平行になり、図２の矢印が示すように、気流はガイドキャップ４のガイドによって順調に第１の羽根１２に向かって流れて、吸入風量を確保しながらノイズを低減することができる。また、図２の矢印が示すように、第１のファン１の排気方向は軸方向に沿って外側に傾斜し、第２のファン２の排気方向は軸方向に沿って延長される。即ち、第１のファン１の送風方向と排気方向はほぼ同一であり、第２のファン２への送風を確保しながら、ノイズをより低減することができる。ここで、第１のファン１の排気方向は、第１の羽根１２を軸方向に沿って近位側へ少し傾けることで実現することができる。
【００２３】
第１のファン１から提供される風量を十分に利用するために、図１及び図２に示すように、本実施例で第１のファン１と第２のファン２の直径は同一である。これにより、第２のファン２は第１のファン１から提供された風量をすべて送り出すことができで、送風効率を確保する。ここで、いくつかの実施形態において、例えば、前記第１のファン１の排気方向が外側へ傾斜する場合、第１のファン１の直径は第２のファン２の直径より少し小さくてもよく、当該サイズ偏差の程度は、第２のファン１の外側へ傾斜する程度によって決められる。即ち、第１のファン１の排気風量を十分に利用できる下で、第１のファン１を少し小さく設計して、第１の空気通路６２のテーパー形の漸進構造によく適応して収納される。
【００２４】
また、２つのファンの間の距離は送風装置から発生するノイズの大きさに関係があり、２つのファンの間の距離が遠いほどノイズは低い。しかしながら、無限大の間隔は、スペースを無駄に占めるだけでなく、２つのファンの連携を低下させる。従って、本実施例で第１のファン１と第２のファン２との間の間隔は４ｍｍ〜２００ｍｍである。
【００２５】
本実施例において、離隔設置された２つのファンを、一本のより厚いファンを中間区域から切断して得られた２つのファンと見なすことができる、即ち、図３と図４に示すように、第１のファン１の第１の羽根１２の数量は、第２のファン２の第２の羽根２２の数量と同一であり、例えば、９枚である。間隔が存在する状況の下で、２つのファンが依然として１つのファンのような気流の協調性を持つようにさせるために、隣接している第１の羽根１２と第２の羽根２２において、第２の羽根２２を円周方向に沿って後方に第１の羽根１２とずらして設置する。ここで、隣接する第１の羽根１２と第２の羽根２２は、距離が最も短い２つの羽根を指す。前記のように設ける理由は、２つのファンの間に間隔が存在するため、前記間隔の間に流れ込んだ気流が抵抗力を受けて滞在されるからであり、従って、第２の羽根２２を円周方向、即ち回転方向に沿って第１の羽根１２の後方にずらして設置することにより、前記滞在された気体が順調に第２のファン２に進入して、連続で滑らかな気流を形成し、送風効率を確保するのみならず、ノイズも効果的に低減することができる。
【００２６】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【００２７】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【００２８】
本願は、出願番号が２０１５１０６３４７８１．４であって、出願日が２０１５年９月２９日である中国特許出願に基づき優先権を主張し、当該中国特許出願の内容のすべてを本願に援用する。
【図１】
0006461172.tif 000002
【図２】
0006461172.tif 000003
【図３】
0006461172.tif 000004
【図４】
0006461172.tif 000005